(57)【特許請求の範囲】
【請求項１】
前後方向にそれぞれ少なくとも２つの収容部を有する本体駒と、該本体駒の上記収容部に挿入され収縮可能ピンが貫通して上記本体駒に連接された連結駒と、が交互に配置されてなる装飾品用駒であって、
上記本体駒は、両端に鍔部を有し該鍔部が連接部により連接された第１駒と、該第１駒の連接部に係合される第２駒と、からなるとともに、上記第２駒と上記第１駒の鍔部との間の空間が上記収容部をなし、
上記第１駒は上記鍔部の対向面に、離間して配置された有底の連接用穴をそれぞれ２つ有し、該連接用穴はそれぞれ前後方向に配置されその一端が鍔部の外部まで延びる一方、上記第２駒は、上記第１駒と上記第２駒との係合時に上記連接用穴とそれぞれ略一直線上に位置する２つの貫通孔を有し、
上記第２駒の上記貫通孔および上記連結駒の貫通孔に上記収縮可能ピンが挿入され、それぞれの上記収縮可能ピンの両端が上記連接用穴に嵌合することにより、上記本体駒とその両側の上記連接駒とが係止されることを特徴とする装飾品用駒。
【請求項２】
上記第１駒の上記連接部の一部が、平板状であり、上記第２駒の形状と平面視で略一致することを特徴とする請求項１記載の装飾品用駒。
【請求項３】
上記第１駒の上記連接部は、断面が方形状の棒状であって、中央上部に切欠き状の凹部を有し、上記第２駒は、その下面に溝部を有し、上記凹部と上記溝部とが係合することを特徴とする請求項１記載の装飾品用駒。
【発明の詳細な説明】
【技術分野】
【０００１】
本発明は、時計やブレスレット等の装飾品に使用される駒に関する。
【背景技術】
【０００２】
時計は、時間を正確に刻むという実用的な側面を有している他に、アクセサリ或いは装飾品という側面も有している。そこで、時計用バンドにおいて、装飾的美しさや高級感を醸し出すための様々な取り組みがなされている。
【０００３】
このような取り組みの例として、例えば、時計用バンドの駒に宝石を埋め込んだり、駒の材質にプラチナやセラミックスなどの高級素材を用いることがしばしば行なわれている。
【０００４】
他方、装飾的価値を高めるべく、時計用バンドの駒の形状について様々なデザインが提案されている。
【０００５】
例えば、特許文献１には、駒を環状のセラミックスで形成し、環の内部に金属製のチェーンを挿入して当該駒を複数連結してなるブレスレットが示されている。駒がセラミックスで形成されているため、高級感が醸し出され、さらに金属製のチェーンを用いているため、装飾性に優れている。
【０００６】
また、特許文献２には、図１２に示すように、主駒４０２の前後に２ヶ所ずつ形成された切り欠き部４０２ａに連結駒４０３を収めて主駒４０２の側面から貫通穴４０２ｂ、４０３ａにピン４０４を挿入し、隣接する主駒４０２同士を連結した時計バンドが示されている。
【０００７】
さらに、特許文献３には、図１３に示すように、第１の駒５０２の連結部５１４、５１６に第２の駒５２０、５２２及び５２４、５２６を嵌め込み、第１の駒５０２の側面から第２の貫通穴５２２ａ〜５２６ａに連結ピン５２８を挿入して第１の駒５０２と第２の駒５２０、５２２及び５２４、５２６を連結し、第１の駒５０２の側面に第３の駒５３０、５３２をネジ５３４、５３６で固定したバンド構造が示されている。
【特許文献１】特開２００１−２５８６１７号公報
【特許文献２】実開平３−５１００９号公報
【特許文献３】実開平６−７７５１９号公報
【発明の開示】
【発明が解決しようとする課題】
【０００８】
しかしながら、特許文献１に開示された、セラミックス製の環状の駒を金属製のチェーンで連結したブレスレットでは、駒同士が緩やかに繋がれており、装飾性には優れるものの、機械的安定性に劣るという問題を有していた。
【０００９】
また、特許文献２に開示された時計バンドでは、図１２に示すように、側面から当該時計バンドを見るとピン４０４の先端部が見えるため美しさが損なわれるという問題を有していた。
【００１０】
さらに、特許文献３に開示されたバンドでは、図１３に示すように、バンドを側面から見ると第３の駒５３０があるため連結ピン５２８の先端部は見えないが、第３の駒５３０、５３２を第１の駒５０２に固定するネジ５３４、５３６の頭部が見えるため、上記と同様に美しさが損なわれるという問題を有していた。
【００１１】
したがって、本発明は上記課題に鑑みてなされたものであり、その目的とするところは、美しさに優れかつ機械的安定性に優れる装飾品用駒を提供することにある。
【課題を解決するための手段】
【００１２】
そこで、本発明に係る装飾品用駒は、前後方向にそれぞれ少なくとも２つの収容部を有する本体駒と、該本体駒の収容部に挿入され収縮可能ピンが貫通して上記本体駒に連接された連結駒と、が交互に配置されてなる装飾品用駒であって、
上記本体駒は、両端に鍔部を有し該鍔部が連接部により連接された第１駒と、該第１駒の連接部に係合される第２駒と、からなるとともに、上記第２駒と上記第１駒の鍔部との間の空間が上記収容部をなし、
上記第１駒は上記鍔部の対向面に、離間して配置された有底の連接用穴をそれぞれ２つ有し、該連接用穴はそれぞれ前後方向に配置されその一端が鍔部の外部まで延びる一方、上記第２駒は、上記第１駒と上記第２駒との係合時に上記連接用穴とそれぞれ略一直線上に位置する２つの貫通孔を有し、
上記第２駒の上記貫通孔および上記連結駒の貫通孔に上記収縮可能ピンが挿入され、それぞれの上記収縮可能ピンの両端が上記連接用穴に嵌合することにより、上記本体駒とその両側の上記連接駒とが係止されることを特徴とする。
【発明の効果】
【００１３】
本発明によれば、本体駒の第１駒の鍔部の対向面に有底の連接用穴を形成し、鍔部の間隔より長い収縮可能ピンを収縮させて鍔部の間から挿入し、その両端を、当該有底の連接用穴に挿入して本体駒と連接駒とを係止させるため、当該収縮可能ピンの先端部はその外側からは見えない。また、本発明では、チェーン等で駒同士を連結するのではなく、本体駒と連結駒とを収縮可能ピンで固定しているため、これらにより構成される装飾品用駒は機械的強度を有する。したがって、本発明によれば、美しさに優れかつ機械的安定性に優れる装飾品用駒を提供することができる。
【発明を実施するための最良の形態】
【００１４】
以下、図面を参照しながら、本発明に係る装飾品用駒および装飾品に関して詳細に説明する。しかしながら、以下に示す実施の形態は、本発明を例示するものであって、限定するものではない。なお、各図において、共通する部分については同一の符号を付し重複した説明を省略する。各構成要素の配置個数、配置位置等は限定的でなく、装飾品用駒もしくは装飾品の使用目的、用途等により適宜設定することができる。
【００１５】
（実施の形態１）
図１は、本発明の実施の形態１に係る、腕時計用バンドに用いる装飾品用駒の一例を示す斜視図であり、図２はその分解斜視図である。
【００１６】
図１に示すように、装飾品用駒１は、前後方向にそれぞれ２つの収容部３を有する本体駒２と、本体駒２の収容部３に挿入され収縮可能ピン（図示せず）が貫通して上記本体部に連接された連結駒４と、を備える。ここで、前後方向とは、装飾品用駒１が連接される方向であって、当該装飾品用駒１が連接されてなる装飾品の長手方向を意味する。図３に示すように、装飾品用駒１と、装飾品用駒１の収容部３に挿入され収縮可能ピン１６で接続された連結駒４とが交互に並置され、これが装飾品となる。
【００１７】
図４（ａ）は本発明の実施の形態１に係る第１駒５の平面図であり、図４（ｂ）はこれを前方向から見た正面図であり、図４（ｃ）はこれを横方向から見た側面図であり、図４（ｄ）はその斜視図である。また、図５（ａ）は本発明の実施の形態１に係る第２駒６の平面図であり、図５（ｂ）はこれを横方向から見た側面図であり、図５（ｃ）はその斜視図である。
【００１８】
図１に示す本体駒２は、図４（ａ）〜（ｄ）に示す第１駒５と、図５（ａ）〜（ｃ）に示す第２駒６と、から構成される。第１駒５は、図４に示すように、その両端に設けられた２つの鍔部７と、鍔部７を連接する連接部８と、を有し、連接部８は、その中央部に形成された矩形の薄い平板９と、その両端に形成された方形状の部材１０と、から構成される。方形状の部材１０はその外側において鍔部７に接続されている。
【００１９】
平板９は、図４（ｂ）に示すように、平板９の上面１８と方形状の部材１０の上面１９とが面一となるように形成することが好ましい。また、方形状の部材１０の上面１９と鍔部７の上面２０とは同じく面一に形成することが好ましい。このような構成とすることにより、装飾的価値が損なわれない。また、第１駒５の平板９の下側には別体の第２駒６が配置される。また、平板９の厚さｃ１と第２駒６の中央付近の厚さｈ１の合計は、鍔部７の上下方向の厚さｆ１、および方形状の部材１０の上下方向の厚さｇ１と略同じであることが好ましい。すなわち、平板９の下面から部材１０の下面までの厚さｅ１は、第２駒の中央付近の厚さｈ１と略同じであることが好ましい。また、平板９の前後方向の長さａ１は、鍔部７の前後方向の長さｂ１、および第２駒の前後方向の長さｉ１と、さらに平板９の横方向の長さｄ１は、第２駒の横方向の長さｊ１と略同じであることが好ましい。このような構成とすることにより、第１駒と、第２駒とを合わせたときに段差が生じることがなく装飾的価値が損なわれない。第１駒と第２駒とを上述のように合わせた際、平板９の側面と第２駒の側面とが成す面が滑らかになるようにこれらの面を形成することが好ましい。このような構成とすることにより、装飾的美しさが醸し出される。
【００２０】
また、図４（ａ）に示すように、第１駒５の平板９と鍔部７との間、および平板９の下側に配置される第２駒６と第１駒５の鍔部７との間に空間が形成され、この空間が収容部３をなす。収容部３は、第１駒５の前部および後部にそれぞれ２つずつ設けられており、図３（ａ）に示すように、連結駒４の約半分が収容部３に配置される。
【００２１】
第１駒５は、図４（ａ）〜（ｄ）に示すように、鍔部７の対向面１２に有底の連接用穴１３をそれぞれ２つずつ有する。ここで、鍔部７の対向面１２とは、第１駒５の両端に設けられた２つの鍔部７の内側の面を意味する。
【００２２】
連接用穴１３は、図４（ｂ）（ｃ）（ｄ）に示すように、下側に連通しないことが肝要である。連接用穴１３を下側に連通させてしまえば、第１駒５と第２駒６とを図２に示すように組み付けた際、収縮可能ピン１６は、下側に連通した連接用穴１３に沿ってずれてしまう。しかしながら、連接用穴１３を下側に連通させるのではなく、例えば、図４（ｂ）（ｃ）（ｄ）に示すように前後方向に連通させれば、収縮可能ピン１６は、連接用穴１３の下面１３'に支えられ、連接用穴１３に沿って下方向にずれてしまうことがない。また、前後方向のずれに対しても、第１駒５と第２駒６とを図２に示すように組み付けた際、第２駒６の２つの貫通孔１４にそれぞれ挿入された収縮可能ピン１６同士は、前後方向について一定の距離を保ち、さらにこのような収縮可能ピン１６は、連接用穴１３の端面１３”に当接する。そのため、一方の収縮可能ピン１６が前方向若しくは後方向のいずれかにずれようとすれば、他方の収縮可能ピン１６が連接用穴１３の端面１３”に当接することになり、前後方向へのずれを防止することができる。したがって、一旦収縮可能ピン１６を一対の連接用穴１３に嵌合させれば、その先端が連接用穴１３から外れることはない。
【００２３】
連接用穴１３は、図４に示すように前側もしくは後側に連通していてもよい。連接用穴１３の形成が容易であるためである。この場合、連接用穴１３が鍔部７の前面もしくは後面に連通した駒を連結して装飾品とした際、連接用穴１３は、隣の駒によって隠されることによって、外観から見えにくいため、美しさを大幅に損なうことはない。しかし、美しさを最大限追求すれば、連接用穴１３は前側もしくは後側にも連通せず、外観から全く見えないことが好ましい。
【００２４】
第２駒６は、図５（ａ）〜（ｃ）に示すように、横方向に並設された２つの貫通孔１４を有する。そして、図２に示すように、第１駒５と第２駒６とを合わせた際、貫通孔１４の両側にそれぞれ連接用穴１３が配置されることになり、貫通孔１４は、連接用穴１３と略一直線上に位置する。さらに、図２に示すように、第２駒６の貫通孔１４および連結駒４の貫通孔１５に収縮可能ピン１６が挿入され収縮可能ピン１６の両端が連接用穴１３に嵌合することにより、本体駒２と連接駒４とが係止される。
【００２５】
図２に示すように、本体駒２の鍔部７の対向面１２に有底の連接用穴１３を形成し、両端の鍔部７同士の間隔より長い収縮可能ピン１６を収縮させてそれら鍔部７の間から挿入し、その両端を、有底の連接用穴１３に挿入することによって収縮可能ピン１６の先端部１７はその外側からは見えず、これらからなる装飾品は美しさを損なうことがない。
【００２６】
また、第２駒６の貫通孔１４に挿入された２つの収縮可能ピン１６の先端部１７を第１駒５の鍔部７の連接用穴１３に挿入することによって第１駒５と第２駒６とを固定しているため、接着剤等が不要である。
【００２７】
ここで、図２を用いて、本発明の実施の形態１に係る本体駒２と連接駒４の係止方法について説明する。まず、図４に示すような、連接部８がその中央部に矩形の薄い平板９を備える第１駒５を１つと、図５に示すような、２つの貫通孔１４が並設された第２駒６を１つと、また、図６に示すような、２つの貫通孔１５を有する連結駒４を４つと、さらに収縮可能ピン１６を２本とを用意する。まず、収縮可能ピン１６を第２駒６の２つの貫通孔１４にそれぞれ挿入する。続いて、第２駒６の貫通孔１４から突出したそれぞれの収縮可能ピン１６の両端に１つずつ連結駒４を配置する。この時、収縮可能ピン１６の先端は連結駒４の一方の貫通孔１５を貫通して連結駒４から突出しており、さらに第２駒６と連結駒４とは接した状態となる。そして、４つの連結駒４をそれぞれの収縮可能ピン１６の両端に１つずつ配置した際、連結駒４の他方の貫通孔１５が互いに外側にくるように連結駒４と第２駒６とは配置されている。
【００２８】
続いて、連結駒４の貫通孔１５から突出した収縮可能ピン１６の先端部１７を中心方向に押し縮めて、その状態で、第２駒６およびこれに接続された連結駒４を第１駒５の下側から挿入し、収縮可能ピン１６が鍔部７の連接用穴１３にきたところで収縮可能ピン１６を拡張させて収縮可能ピン１６の先端部１７を連接用穴１３に嵌合させる。これにより、第１駒５と第２駒６とが合わさって本体駒２となる一方、連結駒４は、収容部３において、収縮可能ピン１６により、第１駒５と第２駒６とからなる本体駒２に固定される。
【００２９】
本発明の実施の形態１に係る、装飾品用駒１によれば、本体駒２の鍔部７の対向面１２に有底の連接用穴１３を形成し、鍔部７同士の間隔より長い収縮可能ピン１６を収縮させて鍔部７同士の間から挿入し、その両方の先端部１７を、有底の連接用穴１３に挿入して本体駒２と連接駒４とを係止させるため、収縮可能ピン１６の先端部１７はその外側からは見えず、優れた装飾的美しさを得ることができる。また、上記のように平板９、第２駒６および鍔部７の寸法を調整して装飾品用駒を構成したことにより、装飾的美しさが醸し出される。さらに、本体駒２と連結駒４とを収縮可能ピン１６で固定しているため、優れた機械的強度を有する。
【００３０】
（実施の形態２）
続いて、本発明の実施の形態２に係る、腕時計用バンドに用いる装飾品用駒２１の一例について説明する。
【００３１】
図７は、本発明の実施の形態２に係る装飾品用駒の一例を示す斜視図であり、図８はその分解斜視図である。
【００３２】
実施の形態１では、本体駒２の連接部８の中央部が平板９となっていたのに対し、実施の形態２では、連接部２８の中央部は平板状となっておらず一定幅の方形状であって、第１駒２５と第２駒２６とが嵌合する構成となっている。
【００３３】
図７に示すように、装飾品用駒２１は、上記同様、前後方向にそれぞれ２つの収容部２３を有する本体駒２２と、本体駒２２の収容部２３に挿入され収縮可能ピン（図示せず）で連接された連結駒２４と、を備える。
【００３４】
図９（ａ）は本発明の実施の形態２に係る装飾品用駒の本体駒の第１駒２５の平面図であり、図９（ｂ）はこれを前方向から見た正面図であり、図９（ｃ）はこれを横方向から見た側面図であり、図９（ｄ）は、その斜視図である。また、図１０（ａ）は本発明の実施の形態２に係る第２駒２６の平面図であり、図１０（ｂ）はこれを横方向から見た側面図であり、図１０（ｃ）はその斜視図である。
【００３５】
図７に示す本体駒２２は、図９（ａ）〜（ｄ）に示す第１駒２５と、図１０（ａ）〜（ｃ）に示す第２駒２６とから構成される。第１駒２５は、図９に示すように、その両端に設けられた２つの鍔部２７と、鍔部２７を連接する連接部２８と、を有し、第１駒２５の連接部２８の中央部には矩形に切欠き状の凹部２９が形成されている。
【００３６】
また、第２駒２６には、図１０に示すように、中央下面に横向きに矩形の溝部３０が形成されるとともに、その両側に２つの貫通孔３４が同じく横向きに設けられている。第２駒２６の溝部３０の横方向の長さｈ２は第１駒２５の凹部２９の横方向長さａ２と、また第２駒２６の溝部３０の幅ｅ２は第１駒２５の連接部２８の幅ｃ２と、また第２駒２６の溝部３０の深さｇ２は第１駒２５の連結部２８の高さｂ２（凹部２９が形成された部分における連結部２８の高さ）と、さらに第２駒２６の溝部３０が形成された部分における厚さｆ２は第１駒２５の凹部２９の深さｄ２と、さらにまた、第２駒２６の前後方向の長さｉ２は第１駒２５の鍔部２７の前後方向の長さｊ２と略同じであることが好ましい。この様に構成することにより、第２駒２６の溝部３０と第１駒２５の凹部２９とが嵌合し第１駒と第２駒とが前後方向にずれが発生することがない。また、このとき第２駒２６の上面は、第１駒２５の連接部２８の上面と面一となることにより装飾的美しさが醸し出される。
【００３７】
また、図７に示すように、第２駒２６と第１駒２５の鍔部２７との間に空間が形成され、当該空間が収容部２３をなす。収容部２３は、本体駒２２の前部および後部にそれぞれ２つずつ設けられており、連結駒２４の約半分が、収容部２３に配置される。
【００３８】
第１駒２５は、図９（ａ）〜（ｄ）に示すように、鍔部２７の対向面３２に有底の連接用穴３３をそれぞれ２つずつ有する。ここで、鍔部２７の対向面３２とは、上記同様、第１駒２５の両端に設けられた２つの鍔部２７の、対向する面を意味し連接用穴３３は対向面３２に対向するように設けられている。
【００３９】
連接用穴３３は、図９（ｂ）（ｃ）（ｄ）に示すように、下側に連通しないことが肝要である。連接用穴３３を下側に連通させてしまえば、第１駒２５と第２駒２６とを図８に示すように組み付けた際、収縮可能ピン３６は、下側に連通した連接用穴３３に沿ってずれてしまう。しかしながら、連接用穴３３を、例えば、図９（ｂ）（ｃ）（ｄ）に示すようにどちらにも連通させずに設け、連接用穴３３の周端面３３’を形成すれば、収縮可能ピン３６の両端は連接用穴３３の周端面３３’に当接することにより、収縮可能ピン３６は、前後左右についてずれることがない。したがって、一旦収縮可能ピン１６を一対の連接用穴３３に嵌合させれば、その先端が連接用穴３３から外れることはない。
【００４０】
連接用穴３３は、製造上前後方向に連通していてもよく、この場合、連接用穴３３が鍔部２７の前面もしくは後面に連通した駒を連結して装飾品とした際、駒の前後方向に設けられた連接用穴は、隣の駒によって隠れ、外観から見えにくいため、美しさを大幅に損なうことはない。しかし、美しさを最大限追求すれば、図９に示すように連接用穴３３はどちらにも連通せず、外観から全く見えないことが好ましい。
【００４１】
第２駒２６は、図１０（ａ）〜（ｃ）に示すように、横向きに並設された２つの貫通孔３４を有する。図８に示すように、第１駒２５と第２駒２６とを合わせた際、貫通孔３４の両側にそれぞれ連接用穴１３が配置されることになり、貫通孔３５は連接用穴３３と略一直線上に位置する。図８に示すように、第２駒２６の貫通孔３５および連結駒２４の貫通孔３５に収縮可能ピン３６が挿入され収縮可能ピン３６の両端が連接用穴３３に嵌合することにより、本体駒２２と連接駒２４とが係止される。
【００４２】
続いて、図８を用いて、本発明の実施の形態２に係る本体駒２２と連接駒２４の係止方法について説明する。まず、図９に示すような、連接部２８の中央部において矩形に切欠いて凹部２９が形成された第１駒２５を１つ、図１０に示すような、中央下面に横方向に溝部３０が形成されその両端に２つの貫通孔３４が並設された第２駒２６を１つと、図１１に示すような、２つの貫通孔３５を有する連結駒２４を４つと、さらに収縮可能ピン３６を２本とを用意する。まず、収縮可能ピン３６を第２駒２６の２つの貫通孔３４にそれぞれ挿入する。続いて、第２駒２６の貫通孔３４から突出したそれぞれの収縮可能ピン３６の両端に１つずつ連結駒２４を配置する。この時、収縮可能ピン３６の先端は連結駒２４の一方の貫通孔３５を貫通して連結駒２４から突出しており、さらに第２駒２６と連結駒２４とは接した状態となる。そして、４つの連結駒２４をそれぞれの収縮可能ピン３６の両端に１つずつ配置した際、連結駒２４の他方の貫通孔３５が互いに外側にくるように連結駒２４と第２駒２６とが配置されている。
【００４３】
続いて、連結駒２４の貫通孔３５から突出した収縮可能ピン３６の先端部３７を中心方向に押し縮めて、その状態で、第２駒２６およびこれに接続された連結駒２４を第１駒２５の上側から挿入し、収縮可能ピン３６が鍔部２７の連接用穴３３にきたところで収縮可能ピン３６を拡張させて収縮可能ピン３６の先端部３７を連接用穴３３に嵌合させる。これにより、第１駒２５と第２駒２６とが合わさって本体駒２２となる一方、連結駒２４は、収容部２３（図示せず）において、収縮可能ピン３６により、第１駒２５と第２駒２６とからなる本体駒２２に固定される。
【００４４】
本発明の実施の形態２に係る装飾品用駒によれば、上記実施の形態１と同様に、収縮可能ピン３６の先端部３７はその外側からは見えず、優れた装飾的美しさを得ることができる。また、上記のように凹部２９、第２駒６および鍔部７の寸法を適宜調整して装飾品用駒を構成したことにより、装飾的美しさが醸し出される。さらに、本体駒２２と連結駒２４とを収縮可能ピン３６で固定しているため、上記同様、優れた機械的強度を有する。
【産業上の利用可能性】
【００４５】
本発明の装飾品用駒によれば、側面方向、上面方向、および底面方向のどの方向から見ても装飾品用駒を接続するピンが見えず、外観の美しさもしくは装飾性を際立って向上させることができることから、時計用バンドやブレスレットを始めとする装飾品などの各種製品に適用できるとともに、チェーンやベルトなどを用いて複数のパーツを連結した動力伝達機構を有する機械設備などにおいても、従来のチェーンなどに代えて、複数のパーツを連結する製品に適用することもできる。
【図面の簡単な説明】
【００４６】
【図１】本発明の実施の形態１に係る装飾品用駒の斜視図である。
【図２】本発明の実施の形態１に係る装飾品用駒の分解斜視図である。
【図３】（ａ）は本発明の実施の形態１に係る装飾品用駒を連接した装飾品を上方から見た部分断面図であり、（ｂ）は前方から見たその部分断面図であり、（ｃ）は側方から見たその部分断面図である。
【図４】（ａ）は本発明の実施の形態１に係る装飾品用駒の本体駒の第１駒の平面図であり、（ｂ）はその正面図であり、（ｃ）はその側面図であり、（ｄ）はその斜視図である。
【図５】（ａ）は本発明の実施の形態１に係る装飾品用駒の本体駒の第２駒の平面図であり、（ｂ）はその正面図であり、（ｃ）はその側面図であり、（ｄ）はその斜視図である。
【図６】（ａ）は本発明に係る連結駒の平面図であり、（ｂ）はその側面図であり、（ｃ）はその斜視図である。
【図７】本発明の実施の形態２に係る装飾品用駒の斜視図である。
【図８】本発明の実施の形態２に係る装飾品用駒の分解斜視図である。
【図９】（ａ）は本発明の実施の形態２に係る装飾品用駒の本体駒の第１駒の平面図であり、（ｂ）はその正面図であり、（ｃ）はその側面図であり、（ｄ）はその斜視図である。
【図１０】（ａ）は本発明の実施の形態２に係る装飾品用駒の本体駒の第２駒の平面図であり、（ｂ）はその正面図であり、（ｃ）はその側面図であり、（ｄ）はその斜視図である。
【図１１】（ａ）は本発明に係る連結駒の平面図であり、（ｂ）はその側面図であり、（ｃ）はその斜視図である。
【図１２】従来技術に係る時計バンドの斜視図である。
【図１３】従来技術に係るバンド構造を示す分解斜視図である。
【符号の説明】
【００４７】
１  装飾品用駒
２  本体駒
３  収容部
４  連結駒
５  第１駒
６  第２駒
７  鍔部
８  連接部
９  平板
１０  方形状の部材
１２  対向面
１３  連接用穴
１３'  連接用穴の下面
１３”  連接用穴の端面
１４  貫通孔
１５  貫通孔
１６  収縮可能ピン
１７  先端部
２１  装飾品用駒
２２  本体駒
２３  収容部
２４  連結駒
２５  第１駒
２６  第２駒
２７  鍔部
２８  連接部
２９  凹部
３０  溝部
３２  対向面
３３  連接用穴
３３’  連接用穴の周端面
３４  貫通孔
３５  貫通孔
３６  収縮可能ピン
３７  先端部
【図１】
0005128218.tif 000002
【図２】
0005128218.tif 000003
【図３】
0005128218.tif 000004
【図４】
0005128218.tif 000005
【図５】
0005128218.tif 000006
【図６】
0005128218.tif 000007
【図７】
0005128218.tif 000008
【図８】
0005128218.tif 000009
【図９】
0005128218.tif 000010
【図１０】
0005128218.tif 000011
【図１１】
0005128218.tif 000012
【図１２】
0005128218.tif 000013
【図１３】
0005128218.tif 000014